(57)【要約】　　　（修正有）【課題】部品点数の増加を招くことなく、複数のメディア保持部に保持されたメディアの状態を適切に表示する。【解決手段】メディアＤが保持される複数のメディア保持部２４と、メディア保持部２４に保持されたメディアＤのうち、選択されたメディアＤに対して信号の記録及び／又は再生を行う光学ピックアップと、各メディア保持部２４に対応して設けられた複数のＬＥＤと、メディアＤが保持されたメディア保持部２４と選択されたメディアＤが保持されたメディア保持部２４とを検出するメディア検出手段と、メディア検出手段による検出結果に基づいて、各メディア保持部２４に対応したＬＥＤの光量を段階的に切り換える切換制御手段とを備える。【選択図】　図２
2004063052.tif 000002
【特許請求の範囲】
【請求項１】
メディアが保持される複数のメディア保持部と、
上記メディア保持部に保持されたメディアのうち、選択されたメディアに対して信号の記録及び／又は再生を行う記録及び／又は再生手段と、
上記各メディア保持部に対応して設けられた複数の発光手段と、
上記メディアが保持されたメディア保持部と上記選択されたメディアが保持されたメディア保持部とを検出するメディア検出手段と、
上記メディア検出手段による検出結果に基づいて、少なくとも上記メディアが保持されていないメディア保持部と、上記メディアが保持されたメディア保持部と、上記選択されたメディアが保持されたメディア保持部とを区別するように、上記各メディア保持部に対応した発光手段の光量を段階的に切り換える切換制御手段とを備えるメディアチェンジャー装置。
【請求項２】
上記発光手段は、発光ダイオードであり、印加される駆動パルスに応じて、その光量が調整されることを特徴とする請求項１記載のメディアチェンジャー装置。
【請求項３】
上記切換制御手段は、上記メディアが保持されていないメディア保持部に対応した発光手段の光量を小とし、上記メディアが保持されたメディア保持部に対応した発光手段の光量を中とし、上記選択されたメディアが保持されたメディア保持部に対応した発光手段の光量を大とする切換制御を行うことを特徴とする請求項１記載のメディアチェンジャー装置。
【請求項４】
装置本体の外部へと引き出される引出位置と、装置本体の内部へと収納される収納位置との間で移動可能に設けられたトレイと、
上記トレイに回転可能に支持されると共に、上記複数のメディア保持部が回転方向に並んで設けられたターンテーブルと、
上記トレイの位置を検出するトレイ検出手段とを備え、
上記切換制御手段は、上記トレイ検出手段により上記トレイが上記引出位置にあることを検出したときに、上記ターンテーブルに設けられた複数のメディア保持部のうち、上記装置本体から外部に臨むメディア保持部に対応した発光手段の光量を大とする切換制御を行うことを特徴とする請求項１記載のメディアチェンジャー装置。
【請求項５】
上記切換制御手段は、上記トレイ検出手段により上記トレイが上記収納位置から上記引出位置へと移動したことを検出したときに、上記装置本体から外部に臨むメディア保持部以外のメディア保持部に対応した発光手段の光量を保持する切換制御を行うことを特徴とする請求項４記載のメディアチェンジャー装置。
【請求項６】
上記切換制御手段は、上記トレイ検出手段により上記トレイが上記引出位置にあることを検出したときに、上記装置本体から外部に臨むメディア保持部以外のメディア保持部に対応した発光手段の光量を小とする切換制御を行うことを特徴とする請求項４記載のメディアチェンジャー装置。
【請求項７】
上記切換制御手段は、上記トレイ検出手段により上記トレイが上記引出位置にあることを検出したときに、上記装置本体から外部に臨む複数のメディア保持部のうち、上記発光手段の光量が大となるメディア保持部以外のメディア保持部に対応した発光手段の光量を中とする切換制御を行うことを特徴とする請求項４記載のメディアチェンジャー装置。
【請求項８】
上記メディア検出手段は、上記ターンテーブルの回転により移送される上記複数のメディア保持部のうち、上記メディアが保持されたメディア保持部を順に検出し、
上記切換制御手段は、上記メディア検出手段により検出されたメディア保持部のうち、上記メディアが保持されていないメディア保持部と、上記メディアが保持されたメディア保持部とを区別するように、上記各メディア保持部に対応した発光手段の光量を段階的に切り換えることを特徴とする請求項４記載のメディアチェンジャー装置。
【請求項９】
上記メディア検出手段は、上記ターンテーブルの回転により移送される上記複数のメディア保持部のうち、上記メディアが保持されたメディア保持部を順に検出し、
上記切換制御手段は、上記メディア検出手段により検出されたメディア保持部に対応した発光手段の光量を中とする切換制御を行うことを特徴とする請求項４記載のメディアチェンジャー装置。
【請求項１０】
上記検出手段による検出結果を記憶する記憶手段を備え、
上記切換制御手段は、上記トレイ検出手段により上記トレイが上記引出位置から上記収納位置へと移動したことを検出したときに、上記記憶手段に記憶された情報に基づいて、上記各メディア保持部に対応した発光手段の光量を段階的に切り換えることを特徴とする請求項９記載のメディアチェンジャー装置。
【請求項１１】
複数のメディア保持部に保持されたメディアのうち、選択されたメディアに対して信号の記録及び／又は再生を行うメディアチェンジャー装置のメディア状態表示方法であって、
上記各メディア保持部に対応した複数の発光手段を設け、上記メディアが保持されたメディア保持部と上記選択されたメディアが保持されたメディア保持部とを検出し、この検出結果に基づいて、少なくとも上記メディアが保持されていないメディア保持部と、上記メディアが保持されたメディア保持部と、上記選択されたメディアが保持されたメディア保持部とを区別するように、上記各メディア保持部に対応した発光手段の光量を段階的に切り換えることを特徴とするメディアチェンジャー装置のメディア状態表示方法。
【請求項１２】
複数のメディア保持部に保持されたメディアのうち、選択されたメディアに対して信号の記録及び／又は再生を行うメディアチェンジャー装置を制御するメディア状態表示プログラムであって、
上記各メディア保持部に対応して設けられた複数の発光手段と、上記メディアが保持されたメディア保持部と上記選択されたメディアが保持されたメディア保持部とを検出するメディア検出手段とを備える上記メディアチェンジャー装置に対して、
上記メディア検出手段の検出結果に基づいて、少なくとも上記メディアが保持されていないメディア保持部と、上記メディアが保持されたメディア保持部と、上記選択されたメディアが保持されたメディア保持部とを区別するように、上記各メディア保持部に対応した発光手段の光量を段階的に切り換える切換制御を実行することを特徴とするメディア状態表示プログラム。
【請求項１３】
複数のメディア保持部に保持されたメディアのうち、選択されたメディアに対して信号の記録及び／又は再生を行うメディアチェンジャー装置を制御するメディア状態表示プログラムが記録された記録媒体であって、
上記各メディア保持部に対応して設けられた複数の発光手段と、上記メディアが保持されたメディア保持部と上記選択されたメディアが保持されたメディア保持部とを検出するメディア検出手段とを備える上記メディアチェンジャー装置に対して、
上記メディア状態表示プログラムは、上記メディア検出手段の検出結果に基づいて、少なくとも上記メディアが保持されていないメディア保持部と、上記メディアが保持されたメディア保持部と、上記選択されたメディアが保持されたメディア保持部とを区別するように、上記各メディア保持部に対応した発光手段の光量を段階的に切り換える切換制御を実行することを特徴とするメディア状態表示プログラムが記録された記録媒体。
【発明の詳細な説明】
【０００１】
【発明の属する技術分野】
本発明は、複数のメディア保持部に保持されたメディアのうち、選択されたメディアに対して信号の記録及び／又は再生を行うメディアチェンジャー装置及びそのメディア状態表示方法、並びにそのようなメディアチェンジャー装置を制御するメディア状態表示プログラム、並びにそのようなメディア状態表示プログラムが記録された記録媒体に関する。
【０００２】
【従来の技術】
従来より、光ディスクや光磁気ディスク、テープストリーマ等のメディアを複数保持し、この中から選択されたメディアに対して信号の記録又は再生を行うメディアチェンジャー装置がある。このメディアチェンジャー装置は、装置全体が密閉された構造を有するために、外部から内部の状態を視認することは困難である。特に、メディアチェンジャー装置では、各種操作を行う上で、内部に設けられた複数のメディア保持部のうち、何れのメディア保持部にメディアが保持されているのか、或いはメディア保持部に保持されたメディアのうち、何れのメディアに対して信号の記録又は再生が行われているのか等のメディアの状態を使用者に表示又は通知する必要がある。
【０００３】
従来、メディアの状態をメディアチェンジャー装置の外部に表示する方法としては、例えばディスプレイ等の表示機器を備えた外部機器との通信インターフェースを設けて、この外部機器からメディアチェンジャー装置の内部の状態を確認する方法があり、比較的高価格な業務用機器等で採用されている。また、メディアチェンジャー装置にインジケータを設けて、このインジケータに内部の状態を表示させる方法があり、比較的低価格な家庭用機器等で採用されている。
【０００４】
【発明が解決しようとする課題】
ところで、上述したメディアの状態を表示する方法では、メディア保持部に対応した数及びその状態に応じた数のインジケータが必要となる。このため、メディアチェンジャー装置では、インジケータの数を削減する等の更なる改善が求められている。
【０００５】
例えば、その改善策の一つとして、インジケータを点灯、点滅又は消灯させることによって、各メディア保持部に保持されたメディアの状態を、各メディア保持部に対応したインジケータ毎に使い分けて表示することが提案されている。
【０００６】
しかしながら、インジケータを点滅させた場合、機器によっては使用者に対して過渡に強い印象を与えてしまうことがある。特に、家庭用機器では、インジケータの点滅によって定常的な状態を表示させるのに不向きである。
【０００７】
そこで、本発明は、このような従来の事情に鑑みて提案されたものであり、部品点数の増加を招くことなく、複数のメディア保持部に保持されたメディアの状態を適切に表示することを可能とし、また、デザイン性に優れたメディア状態表示を可能としたメディアチェンジャー装置を提供することを目的とする。
【０００８】
また、本発明は、そのようなメディアチェンジャー装置に保持されたメディアの状態を表示するのに好適なメディア状態表示方法、並びにそのようなメディアチェンジャー装置を制御するメディア状態表示プログラム、並びにそのようなメディア状態表示プログラムが記録された記録媒体を提供することを目的とする。
【０００９】
【課題を解決するための手段】
この目的を達成するために、本発明に係るメディアチェンジャー装置は、メディアが保持される複数のメディア保持部と、メディア保持部に保持されたメディアのうち、選択されたメディアに対して信号の記録及び／又は再生を行う記録及び／又は再生手段と、各メディア保持部に対応して設けられた複数の発光手段と、メディアが保持されたメディア保持部と選択されたメディアが保持されたメディア保持部とを検出するメディア検出手段と、メディア検出手段による検出結果に基づいて、少なくともメディアが保持されていないメディア保持部と、メディアが保持されたメディア保持部と、選択されたメディアが保持されたメディア保持部とを区別するように、各メディア保持部に対応した発光手段の光量を段階的に切り換える切換制御手段とを備えることを特徴としている。
【００１０】
また、本発明に係るメディアチェンジャー装置のメディア状態表示方法は、複数のメディア保持部に保持されたメディアのうち、選択されたメディアに対して信号の記録及び／又は再生を行うメディアチェンジャー装置に保持されたメディアの状態を表示する方法であって、各メディア保持部に対応した複数の発光手段を設け、メディアが保持されたメディア保持部と選択されたメディアが保持されたメディア保持部とを検出し、この検出結果に基づいて、少なくともメディアが保持されていないメディア保持部と、メディアが保持されたメディア保持部と、選択されたメディアが保持されたメディア保持部とを区別するように、各メディア保持部に対応した発光手段の光量を段階的に切り換えることを特徴としている。
【００１１】
また、本発明に係るメディア状態表示プログラムは、複数のメディア保持部に保持されたメディアのうち、選択されたメディアに対して信号の記録及び／又は再生を行うメディアチェンジャー装置を制御するメディア状態表示プログラムであって、各メディア保持部に対応して設けられた複数の発光手段と、メディアが保持されたメディア保持部と上記選択されたメディアが保持されたメディア保持部とを検出するメディア検出手段とを備えるメディアチェンジャー装置に対して、メディア検出手段の検出結果に基づいて、少なくともメディアが保持されていないメディア保持部と、メディアが保持されたメディア保持部と、選択されたメディアが保持されたメディア保持部とを区別するように、各メディア保持部に対応した発光手段の光量を段階的に切り換える切換制御を実行することを特徴としている。
【００１２】
また、本発明に係るメディア状態表示プログラムが記録された記録媒体は、複数のメディア保持部に保持されたメディアのうち、選択されたメディアに対して信号の記録及び／又は再生を行うメディアチェンジャー装置を制御するメディア状態表示プログラムが記録された記録媒体であって、各メディア保持部に対応して設けられた複数の発光手段と、メディアが保持されたメディア保持部と選択されたメディアが保持されたメディア保持部とを検出するメディア検出手段とを備えるメディアチェンジャー装置に対して、メディア状態表示プログラムは、メディア検出手段の検出結果に基づいて、少なくともメディアが保持されていないメディア保持部と、メディアが保持されたメディア保持部と、選択されたメディアが保持されたメディア保持部とを区別するように、各メディア保持部に対応した発光手段の光量を段階的に切り換える切換制御を実行することを特徴としている。
【００１３】
以上のように、本発明では、各メディア保持部に対応した発光手段の光量を段階的に切り換えることによって、少なくともメディアが保持されていないメディア保持部と、メディアが保持されたメディア保持部と、選択されたメディアが保持されたメディア保持部とを区別する。これにより、複数のメディア保持部のうち、何れのメディア保持部にメディアが保持されているのか、或いはメディア保持部に保持されたメディアのうち、何れのメディアに対して信号の記録及び／又は再生が行われるのか等のメディアの状態を、各メディア保持部に対応した発光手段の光量の違いによって適切に表示することができる。
【００１４】
【発明の実施の形態】
以下、本発明を適用したメディアチェンジャー装置及びそのメディア状態表示方法、並びにメディア状態表示プログラム、メディア状態表示プログラムが記録された記録媒体について、図面を参照しながら詳細に説明する。
【００１５】
本発明を適用したメディアチェンジャー装置は、図１及び図２に示すように、メディアとして、例えば５枚のディスクＤをまとめて保持することができる、いわゆるルーレット型のディスクチェンジャー装置１である。このディスクチェンジャー装置１では、保持されたディスクＤの中から任意のディスクＤを選択して再生することが可能となっている。
【００１６】
具体的に、このディスクチェンジャー装置１は、装置本体の外装となる筐体２を備えている。筐体２は、図１及び図３に示すように、装置本体の底面部を構成するベース３と、装置本体の前面部を構成するフロントパネル４と、装置本体の背面部を構成するバックパネル（図示せず。）と、装置本体の上面部及び両側面部を構成する上ケース５とから構成されている。
【００１７】
ベース３は、比較的薄い全体略箱状に形成されており、その底面部には、後述する装置本体を構成する各機構並びにこれらを駆動制御する制御部等が配置されている。また、ベース３には、その底面部と上部開口部との間を隔離するように、略矩形平板状のメカデッキ６が設けられている。
【００１８】
フロントパネル４は、ベース３の前面側にネジ止め等によって取り付けられている。このフロントパネル４には、後述するトレイ１２が出入されるトレイ出入口７が設けられている。また、このフロントパネル４には、電源のＯＮ／ＯＦＦの切り替えを行う電源ボタン８や、例えばディスクＤの再生動作や、後述するトレイ１２の出し入れ、後述するターンテーブル１３の回転等の各種操作を行うための複数の操作ボタン９、音量を調節するためのボリュームダイアル１０、ディスクＤの状態を表示するための表示部１１等が設けられている。
【００１９】
バックパネルは、図示を省略するが、ベース３の背面側にネジ止め等によって取り付けられている。このバックパネルには、外部電源に接続されるコンセントや、外部電源から電源装置への電力供給の切り替えを行う主電源スイッチ、テレビモニタ等と接続するための映像出力ジャック、外部から映像及び音声を入力するための外部入力ジャック、外部へと映像及び音声を出力するための外部出力ジャック等が設けられている。
【００２０】
上ケース５は、装置本体の上面部及び両側面部に沿って薄い板金が断面略コ字状に折り曲げられて形成されている。そして、装置本体の上面部及び両側面部に沿って背面側から正面側へとスライドされて、その一端側がフロントパネル４に位置決めされると共に、その他端側がバックパネルにネジ止め等によって取り付けられている。これにより、装置本体の上面部及び両側面部を被覆し、装置本体の内部に塵埃等が侵入するのを防止している。
【００２１】
装置本体は、図３，図４及び図５に示すように、メカデッキ６上にスライド可能に支持されたトレイ１２と、このトレイ１２上に回転可能に支持されたターンテーブル１３とを備えている。
【００２２】
トレイ１２は、比較的薄い全体略箱状に形成されており、その底面部を上方に向けた状態でメカデッキ６上に配置されている。また、トレイ１２は、フロントパネル４のトレイ出入口７と対応した形状を有しており、このトレイ出入口７から筐体２の外部へと引き出される引出位置（図２及び図５中の仮想線で示す位置）と、このトレイ出入口７から筐体２の内部へと収納される収納位置（図１及び図５中の実線で示す位置）との間でスライド可能となっている。
【００２３】
具体的に、トレイ１２の両側面部を形成する外周壁１４ａと、これら外周壁１４ａよりも内側に位置する内周壁１４ｂとの間には、一対のガイド溝１５が形成されている。一方、メカデッキ６には、これら一対のガイド溝１５に係合されるガイド突部１６がスライド方向（前後方向）に複数並んで形成されている。したがって、トレイ１２は、一対のガイド溝１５に複数のガイド突部１６が係合されることによって、メカデッキ６上で前後方向にスライド可能に支持されている。
【００２４】
また、メカデッキ６上には、前面側の両コーナー部に位置して、一対のゴムローラ１７が回転可能に取り付けられている。これら一対のゴムローラ１７は、トレイ１２が前後方向にスライドすることによって、このトレイ１２の内周壁１４ｂと摺接される。一方、トレイ１２には、これら一対のゴムローラ１７と摺接される内周壁１４ｂよりも内側に位置して、トレイ１２の引出位置に対応して一対のゴムローラ１７と当接される一対の引出位置規制片１８と、トレイ１２の収納位置に対応して一対のゴムローラ１７と当接される一対の収納位置規制片１９とが突出形成されている。したがって、トレイ１２は、トレイ出入口７から筐体２の外部へと引き出された際に、一対のゴムローラ１７が一対の引出位置規制片１８と当接されることによって、その引出位置が規制されると共に、トレイ出入口７から筐体２の内部へと収納された際に、一対のゴムローラ１７が一対の収納位置規制片１９と当接されることによって、その収納位置が規制されている。
【００２５】
また、トレイ１２の主面には、ターンテーブル１３が嵌合される平面略円形状の嵌合凹部２０が形成されている。また、この嵌合凹部２０の底面中央部には、ターンテーブル１３を回転可能に支持する支軸２１が突出して設けられており、この支軸２１の中心部には、固定ネジ２２が螺合されるネジ孔２１ａが形成されている。
【００２６】
ターンテーブル１３は、全体略円盤状に形成されており、トレイ１２の嵌合凹部２０に嵌合されると共に、その中心部に設けられたボス２３に支軸２１が挿通された状態でネジ孔２１ａに固定ネジ２２が螺合されることによって、当該支軸２１を中心に回転可能に支持されている。また、ターンテーブル１３の主面には、ディスクＤを保持する５つのディスク保持部２４が回転方向に並んで設けられている。各ディスク保持部２４は、ディスクＤの外形に対応した内形形状を有しており、その底面部には、載置されたディスクＤの一部を内外周に亘って臨ませるピックアップ用開口部２５が形成されている。
【００２７】
また、ターンテーブル１３の外周面には、その全周に亘ってギヤ部２６が形成されている。一方、トレイ１２の背面側の一方コーナー部には、嵌合凹部２０と連続する凹部２７が設けられており、この凹部２７には、ターンテーブル１３を回転駆動するテーブル駆動機構として、支軸を介して回転可能に支持されたウォームギヤ２８と、このウォームギヤ２８を回転駆動するテーブル用駆動モータ２９とが配置されている。ウォームギヤ２８は、ターンテーブル１３のギヤ部２６と噛合されている。また、ウォームギヤ２８の支軸には、被動プーリ３０が取り付けられている。一方、テーブル用駆動モータ２９の駆動軸には、駆動プーリ３１が取り付けられている。そして、これら駆動プーリ３１と被動プーリ３０との間には、無端駆動ベルト３２が巻き掛けられている。したがって、このテーブル駆動機構では、テーブル用駆動モータ２９が回転駆動されると、このテーブル用駆動モータ２９の駆動力が無端駆動ベルト３２を介して駆動プーリ３１から被動プーリ３０へと伝達され、ウォームギヤ２８が回転駆動される。そして、ウォームギヤ２８とギヤ部２６との噛合によってターンテーブル１３がテーブル用駆動モータ２９の駆動力により回転駆動される。
【００２８】
また、装置本体は、ターンテーブル１３のディスク保持部２４に保持されたディスクＤのうち、選択されたディスクＤに対して信号の再生を行うディスク再生部を備えている。このディスク再生部は、５つのディスク保持部２４のうち、背面側の他方コーナー部に位置するディスク保持部２４に保持されたディスクＤに対して信号の再生を行う。
【００２９】
ディスク再生部は、選択されたディスクＤを回転駆動するディスク駆動機構３３と、ディスク駆動機構３３により回転駆動されるディスクＤに対して信号の読み取りを行う光学ピックアップ３４と、光学ピックアップ３４をディスクＤの径方向に送り動作させるピックアップ送り機構３５とを有し、これらが支持ベース３６に支持された構造を有している。
【００３０】
支持ベース３６は、矩形平板状に形成されており、ベース３の底面部において揺動可能に支持されている。また、メカデッキ６及びターンテーブル１３には、それぞれ支持ベース３６に対応した略矩形状の開口部３７，３８が形成されている。そして、この支持ベース３６は、後述するローディング機構によって、これら開口部３７，３８からディスク駆動機構３３及び光学ピックアップ３４をディスク保持部２４のピックアップ用開口部２５へと臨ませる再生位置と、これら開口部３７，３８からベース３の底面部へと引き込まれる引込位置との間で揺動操作される。
【００３１】
また、支持ベース３６のディスクＤを対向する主面には、ターンテーブル１３の回転によりディスク再生部へと移送されたディスク保持部２４及び当該ディスク保持部２４にディスクＤが保持されているか否かを検出するディスク検出センサ３９が設けられている。
【００３２】
ディスク駆動機構３３は、支持ベース３６のディスクＤと対向する主面に、ディスクＤが載置されるディスクテーブル４０と、このディスクテーブル４０を回転駆動するスピンドルモータ４１とを有している。また、トレイ１２の背面側の他方コーナー部には、クランプアーム４２が片持ち支持されており、このクランプアーム４２の先端部には、再生時にディスクテーブル４０と共にディスクＤの中心部を保持するチャッキングプレート４３が回転可能に取り付けられている。
【００３３】
光学ピックアップ３４は、図示を省略するが、光源から出射されたレーザー光を対物レンズにより集光させてディスクＤの信号記録面に照射し、このディスクＤの信号記録面より反射される戻りのレーザー光を受光素子により受光することによって信号の検出を行う光学系と、ディスクＤからの検出信号に基づいて、対物レンズを変位駆動しながら、ディスクＤの信号記録面上に対物レンズの焦点を合わせるフォーカッシングサーボ及び対物レンズにより集光されるレーザー光のスポット位置を常に記録トラック上に位置させるトラッキングサーボを行う二軸アクチュエータとを有している。
【００３４】
ピックアップ送り機構３５は、光学ピックアップをディスクＤの径方向に移動可能に支持する一対のガイド軸４４と、一対のガイド軸４４に支持された光学ピックアップ３４を軸方向に変位駆動する駆動機構（図示せず。）とを有している。
【００３５】
このディスク再生部では、ディスク駆動機構３３によりディスクＤが回転駆動されると、ピックアップ送り機構３５により光学ピックアップ３４がディスクＤの径方向に送り動作されながら、光学ピックアップ３４によりディスクＤに対して信号の再生動作が行われる。
【００３６】
また、装置本体は、図４及び図５に示すように、上述したトレイ１２を引出位置と収納位置との間でスライド操作すると共に、上述した支持ベース３６を再生位置と引込位置との間で揺動操作するためのローディング機構を備えている。
【００３７】
このローディング機構は、トレイ１２のスライド操作及び支持ベース３６の揺動操作を切り換える切換ドラム４５を有している。この切換ドラム４５は、略円筒状のカム筒部４５ａと、カム筒部４５ａの上端部に当該カム筒部４５ａよりも拡径された略円盤状のローディング部４５ｂとを有している。また、切換ドラム４５は、ローディング部４５ｂの中心部に設けられたボス４６を通して固定ネジ４７がベース３の底面部に設けられた支軸４８の軸孔４８ａに螺合されることによって、当該支軸４８を中心に回転可能に支持されている。
【００３８】
カム筒部４５ａには、この切換ドラム４５の回転により支持ベース３６を昇降動作させるためのカム孔４９が形成されている。一方、支持ベース３６には、このカム孔４９と係合されるカムピン５０が突出形成されている。したがって、このローディング機構では、支持ベース３６のカムピン５０が切換ドラム４５の回転によりカム筒部４５ａのカム孔４９内をスライドすることによって、支持ベース３６が再生位置と引込位置との間で揺動操作される。具体的には、切換ドラム４５が図５中時計回りに回転すると、支持ベース３６が再生位置から引込位置へと下降し、切換ドラム４５が図５中反時計回りに回転すると、支持ベース３６が引込位置から再生位置へと上昇する。
【００３９】
また、ローディング部４５ｂの外周部には、所定の領域に亘ってギヤ部５１が形成されている。一方、トレイ１２の底面部には、このギヤ部５１と噛合されるラック部５２が前後方向に亘って突出形成されている。したがって、このローディング機構では、切換ドラム４５の回転によってトレイ１２が前後方向にスライド操作される。具体的には、切換ドラム４５が図５中時計回りに回転すると、トレイ１２が収納位置から引出位置へとスライドし、切換ドラム４５が図５中反時計回りに回転すると、トレイ１２が引出位置から収納位置へとスライドする。
【００４０】
また、このローディング機構では、切換ドラム４５が図５中反時計回りに回転し、トレイ１２が引出位置から収納位置へとスライドされた後に、ローディング部４５ｂのギヤ部５１とトレイ１２のラック部５２との噛合が解除される。そして、更に切換ドラム４５が図５中反時計回りに回転することによって、支持ベース３６が引込位置から再生位置へと上昇するようになされている。
【００４１】
また、ローディング部４５ｂの上面には、ギヤ部５１とラック部５２との噛合が解除された後に、トレイ１２を収納位置に保持するための保持壁５３が平面略円弧状に突出形成されている。一方、トレイ１２には、収納位置にあるときに、この保持壁５３と当接される係止突部５４が突出形成されている。したがって、このローディング機構では、切換ドラム４５が図５中反時計回りに回転し、ローディング部のギヤ部とトレイのラック部との噛合が解除された後でも、トレイ１２の係止突部５４が切換ドラム４５の保持壁５３と当接されることによって、収納位置にあるトレイ１２の引出位置側へのスライドが係止される。
【００４２】
また、カム筒部４５ａの内周面には、その全周に亘ってギヤ部（図示せず。）が形成されている。一方、ベース３の底面部には、切換ドラム４５を回転駆動するドラム駆動機構として、支軸を介して回転可能に支持されたウォームギヤ５５と、このウォームギヤ５５を回転駆動するドラム用駆動モータ５６とが配置されている。ウォームギヤ５５は、カム筒部４５ａのギヤ部と噛合されている。また、図示を省略するが、ウォームギヤ５５の支軸には、被動プーリが取り付けられている。一方、ドラム用駆動モータ５６の駆動軸には、駆動プーリが取り付けられている。そして、これら駆動プーリと被動プーリとの間には、無端駆動ベルトが巻き掛けられている。したがって、このドラム駆動機構では、ドラム用駆動モータ５６が回転駆動されると、このドラム用駆動モータ５６の駆動力が無端駆動ベルトを介して駆動プーリから被動プーリへと伝達され、ウォームギヤ５５が回転駆動される。そして、ウォームギヤ５５とギヤ部との噛合によって切換ドラム４５がドラム用駆動モータ５６の駆動力により回転駆動される。
【００４３】
また、メカデッキ６には、トレイ１２が収納位置又は引出位置にあることを検出するトレイ検出スイッチ５７が設けられている。このトレイ検出スイッチ５７は、トレイ１２が引出位置から収納位置へと引き込まれた際に押圧されることで、トレイ１２が収納位置にあること検出し、ドラム用駆動モータ５６による回転駆動を停止させる。
【００４４】
以上のように構成されるディスクチェンジャー装置では、トレイ１２が引出位置にある状態において、例えばフロントパネル４の操作ボタン９を操作し、ターンテーブル１３の回転を指示すると、ターンテーブル１３がテーブル駆動機構により回転駆動されながら、手前に位置するディスク保持部２４が装置本体から外部に臨む位置へと移送される。なお、各ディスク保持部２４は、操作ボタン９を操作する毎に各位置が入れ替わる。このうち、装置本体から外部に臨むディスク保持部２４は、手前に位置する３つのディスク保持部２４であり、最も手前がディスクＤの出し入れが可能なディスク交換位置である。したがって、トレイ１２が引出位置にある状態においては、ターンテーブル１３を回転操作し、ディスク交換位置へと移送された任意のディスク保持部２４に対してディスクＤの出し入れを行うことができる。
【００４５】
次に、この状態から、例えばフロントパネル４の操作ボタン９を操作し、トレイ１２の収納を指示すると、切換ドラムが図５中反時計回りに回転駆動されながら、トレイ１２が引出位置から収納位置へとスライドし、ディスク保持部２４に保持されたディスクが装置本体の内部へと収納される。そして、トレイ１２が収納位置にある状態において、例えばフロントパネル４の操作ボタン９を操作し、ターンテーブル１３の回転を指示すると、ターンテーブル１３がテーブル駆動機構により回転駆動されながら、各ディスク保持部２４が装置本体のディスク再生部へと移送される。
【００４６】
次に、この状態から、例えばフロントパネル４の操作ボタン９を操作し、ディスク保持部２４に保持されたディスクＤのうち、何れか１枚を選択し再生を指示すると、選択されたディスクＤが保持されたディスク保持部２４がディスク再生部へと移送された後、切換ドラムが図５中反時計回りに回転駆動されながら、支持ベース３６が引込位置から再生位置へと上昇する。
【００４７】
このとき、ディスクテーブル４０がピックアップ用開口部２５からディスク保持部２４へと突出し、このディスクテーブル４０上にディスクＤが載置される。また、ディスクＤは、ディスク保持部から離間した状態となり、その中心部がディスクテーブル４０と共にクランプアーム４２のチャッキングプレート４３に挟み込まれて回転可能に保持される。
【００４８】
そして、ディスク再生部では、ディスク駆動機構３３によりディスクＤが回転駆動され、ピックアップ送り機構３５により光学ピックアップ３４がディスクＤの径方向に送り動作されながら、光学ピックアップ３４によりディスクＤに対して信号の再生が行われる。
【００４９】
次に、この状態から、例えばフロントパネル４の操作ボタン９を操作し、ディスクＤの再生停止を指示すると、切換ドラムが図５中時計回りに回転駆動されながら、支持ベース３６が再生位置からへと引込位置へと下降する。そして、支持ベース３６が引込位置へと引き込まれた後、ディスクＤが再びディスク保持部２４に保持された状態となる。
【００５０】
次に、この状態から、例えばフロントパネル４の操作ボタン９を操作し、トレイの引出しを指示すると、切換ドラムが図５中時計回りに回転駆動されながら、トレイが収納位置から引出位置へとスライドし、手前に位置するディスク保持部２４が装置本体の外部へと引き出された状態となる。これにより、再びターンテーブル１３を回転操作しながら、ディスク交換位置へと移送された任意のディスク保持部２４に対するディスクＤが交換等が可能となる。
【００５１】
ところで、フロントパネル４に設けられた表示部１１には、図１，図２及び図６に示すように、各ディスク保持部２４に対応した発光ダイオード（ＬＥＤ：Ｌｉｇｈｔ　Ｅｍｉｔｔｉｎｇ　Ｄｉｏｄｅ）１〜５が横方向に並んで配置されている。
【００５２】
これら各ＬＥＤ１〜５は、図７に示すように、印加される駆動パルスのパルス周期に応じて光量を段階的に調整することが可能であり、例えば一定の駆動パルスを印加することでＬＥＤを点灯状態（最大光量）とし、周期的な駆動パルスを印加することでＬＥＤを弱点灯状態（中間光量）とし、駆動パルスを印加しないことでＬＥＤの消灯状態（最小光量）とすることができる。なお、ＬＥＤを弱点灯とする際のクロック周期は、後述する制御部６０が他の処理に時間がかかってしまうとクロック周期が不安定となることから、ＬＥＤの光量が不安定とならない程度に短くすることが好ましい。さらに、クロック内のディーティ比は、光量（明るさ）そのものに影響を与えることから、ＬＥＤの点灯と消灯との差異がわかる程度の光量となるように設定することが好ましい。
【００５３】
ここで、図８に示すように、メディアチェンジャー装置１を駆動制御する制御部６０について説明すると、制御部６０は、ＣＰＵ（Ｃｅｎｔｒａｌ　Ｐｒｏｃｅｓｓｉｎｇ　Ｕｎｉｔ）６０と、このＣＰＵ６０１接続されたＲＯＭ（Ｒｅａｄ　Ｏｎｌｙ　Ｍｅｍｏｒｙ）６２及びＲＡＭ（Ｒａｎｄｏｍ　Ａｃｃｅｓｓ　Ｍｅｍｏｒｙ）６３とを有している。
【００５４】
また、ＣＰＵ６１には、図示を省略するが、上述したテーブル駆動機構のテーブル用駆動モータ２９や、ディスク再生部のディスク駆動機構３３、光学ピックアップ３４及びピックアップ送り機構３５、ローディング機構のドラム用駆動モータ５６等の各機構が接続されている。また、ＣＰＵ６１には、電源ボタン８や各操作ボタン９、ボリュームダイアル１０、表示部１１等が接続されている。
【００５５】
ＲＯＭ６２は、例えばフラッシュメモリやＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）等のメモリ素子であり、ＣＰＵ６１が実行するプログラム等が記憶（格納）されている。
【００５６】
ＲＡＭ６３は、ＣＰＵ６１が各種制御処理を実行する際の作業領域として使用されるものであり、ＣＰＵ６１がプログラムを実行する過程で必要となるデータを一事的に記憶することができる。
【００５７】
この制御部６０では、ユーザが操作ボタン９等を操作することによって、その指令がＣＰＵ６１に入力される。そして、ＣＰＵ６１は、その指令に従ってＲＯＭ６２に格納されているプログラムを実行し、その処理結果に応じて、上述した各機構を駆動制御する。
【００５８】
また、ＣＰＵ６１には、外部入力インターフェース６４が接続されており、制御部６０は、この外部入力インターフェース６４を介して外部のドライブ装置やネットワーク等と接続可能となっている。そして、制御部６０では、各種ドライブ装置に装着されたフロッピィディスクやハードディスク等の磁気ディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔｏ　ｏｐｔｉｃａｌ）ディスク、ＤＶＤ（Ｄｉｇｉｔａｌ　Ｖｅｒｓａｔｉｌｅ　Ｄｉｓｃ）等の光学ディスクから読み出されたプログラム、或いはネットワークを介して転送されるプログラム等を、ＲＡＭ６３にロードして実行することができる。また、制御部６０では、この外部入力インターフェース６４を介して入力される外部からのデータに応じて、ＲＯＭ６１に記録されているプログラムのアップデート（更新）を行うことも可能である。
【００５９】
また、ＣＰＵ６１には、ディスク検出センサ３９及びトレイ検出スイッチ５７が接続されている。制御部６０では、これらディスク検出センサ３９及びトレイ検出スイッチ５７からＣＰＵ６１に検出信号が入力されると、そのディスクＤの状態を表示するディスク状態表示プログラムをＣＰＵ６１が実行し、その処理結果を表示部１１に出力する。すなわち、この制御部６０は、ディスク検出センサ３９及びトレイ検出スイッチ５７からの検出信号に基づいて、上述したＬＥＤ１〜５に印加される駆動パルスのクロック周期を制御し、各ディスク保持部２４に対応したＬＥＤ１〜５の光量を段階的に切り換える切換制御を行う。
【００６０】
具体的に、トレイ１２が引出位置にある場合には、装置本体から外部に臨むディスク保持部２４のうち、最も手前、すなわちディスク交換位置にあるディスク保持部２４に対応したＬＥＤの光量を大（点灯）とし、手前に位置する残りの左右のディスク保持部２４に対応したＬＥＤの光量を中（弱点灯）とし、装置本体の内部に位置する２つのディスク保持部２４に対応したＬＥＤの光量を小（消灯）とする切換制御を行う。また、ディスク検出センサ３９によりディスクＤの有無が確認されていないディスク保持部２４及びターンテーブル１３の回転によってディスクＤが保持されていることが確認されたディスク保持部２４に対応したＬＥＤの光量を中（弱点灯）とし、ターンテーブル１３の回転によってディスクＤが保持されていないことが確認されたディスク保持部２４に対応したＬＥＤの光量を小（消灯）とする切換制御を行う。
【００６１】
一方、トレイ１２が収納位置にある場合には、選択されたディスクＤが保持された（ディスク保持部２４に位置し且つディスクＤの再生が可能な状態にある）ディスク保持部２４に対応したＬＥＤの光量を大（点灯）とし、ディスクＤが保持されたディスク保持部２４に対応したＬＥＤの光量を中（弱点灯）とし、ディスクＤが保持されていないディスク保持部２４に対応したＬＥＤの光量を小（消灯）とする切換制御を行う。また、ディスク検出センサ３９によりディスクＤの有無が確認されていないディスク保持部２４に対応したＬＥＤの光量を中（弱点灯）とする切換制御を行う。
【００６２】
次に、図９乃至図１４に示すフローチャートを参照しながら、具体的なディスクチェンジャー装置１のディスク状態を表示する動作について説明する。
【００６３】
なお、以下の説明では、各ディスク保持部２４に保持されるディスクＤを、それぞれ反時計回りにディスクＤ１、ディスクＤ２、ディスクＤ３、ディスクＤ４、ディスクＤ５として区別する。
【００６４】
先ず、ディスクチェンジャー装置１において、トレイ１２が収納位置から引出位置へと引き出される際のディスクＤの状態表示は、図９に示すフローチャートに従って実行される。
【００６５】
なお、図９に示すディスクチェンジャー装置１では、トレイ１２が収納位置にあり、何れのディスク保持部２４にもディスクＤが保持されておらず、全てのＬＥＤ１〜５が消灯状態にある。また、ディスク再生部には、ディスクＤ１が保持されるディスク保持部２４が位置している。
【００６６】
この状態から、先ず、ステップＳ１０１において、ユーザが操作ボタン９を操作し、制御部６０に対してトレイ１２の引出しを指令すると、ステップＳ１０２において、制御部６０は、トレイ１２を収納位置から引出位置へとスライドさせるスライド操作と、ディスク再生部に位置するディスク保持部２４をディスク交換位置へと移送するターンテーブル１３の回転操作とを開始する。そして、ステップＳ１０３において、制御部６０は、装置本体から外部に臨むディスク保持部２４のうち、ディスク交換位置にあるディスク保持部２４に対応したＬＥＤ１を点灯させ、手前に位置する残りの左右のディスク保持部２４に対応したＬＥＤ５，２を弱点灯させる切換制御を行う。また、制御部６０は、装置本体の外部に臨むディスク保持部２４のディスクＤ１，Ｄ５，Ｄ２の有無についての情報をクリアとする。
【００６７】
ここで、トレイ１２を収納位置から引出位置へとスライド操作する際には、先ず、ステップＳ１０４において、ドラム用駆動モータ５６が切換ドラム４５を時計回りに回転駆動する。次に、ステップＳ１０５において、制御部６０は、支持ベース３６が引込位置にあるかの確認を行う。そして、支持ベース３６が引込位置にある場合には、ステップＳ１０６に進む。一方、支持ベース３６が引込位置にない場合には、ステップＳ１０４へと戻り、更にドラム用駆動モータ５６が切換ドラム４５を時計回りに回転駆動する。そして、再びステップＳ１０５に進む。そして、制御部６０は、支持ベース３６が引込位置に下降するまで、ドラム用駆動モータ５６による切換ドラム４５の回転駆動を繰り返す。
【００６８】
次に、ステップＳ１０６において、テーブル用駆動モータ２９がターンテーブル１３を反時計回りに回転駆動すると、ステップＳ１０７において、制御部６０は、ディスク検出センサ３９の検出結果に基づいて、ディスクＤ１が保持されるディスク保持部２４がディスク交換位置にあるかの確認を行う。そして、ディスクＤ１が保持されるディスク保持部２４がディスク交換位置にある場合には、ステップＳ１０８に進み、制御部６０は、テーブル用駆動モータ２９によるターンテーブル１３の回転駆動を停止する。一方、ディスクＤ１が保持されるディスク保持部２４がディスク交換位置にない場合には、ステップＳ１０９に進み、制御部６０は、トレイ検出スイッチ５７の検出結果に基づいて、トレイ１２が引出位置にあることを確認する。そして、ステップＳ１０６へと戻り、更にテーブル用駆動モータ５９がターンテーブル１３を反時計回りに回転駆動する。そして、再びステップＳ１０７に進む。そして、制御部６０は、ディスクＤ１が保持されるディスク保持部２４がディスク交換位置に移送されるまで、テーブル用駆動モータ５９によるターンテーブル１３の回転駆動を繰り返す。
【００６９】
以上のようにして、このディスクチェンジャー装置１では、トレイ１２が収納位置から引出位置へと引き出されると共に、ディスクＤ１が保持されるディスク保持部２４がディスク交換位置へと移送された状態となる。
【００７０】
次に、この状態から、ステップＳ１１０において、制御部６０は、ディスク検出センサ３９の検出結果に基づいて、このディスク検出センサ３９を通過するディスク保持部２４にディスクＤ４が保持されている否かの確認を行う。そして、ディスク保持部２４にディスクＤ４が保持されている場合には、ステップＳ１１１に進み、制御部６０は、ディスク検出センサ３９の検出結果に基づいて、このディスク保持部２４に対応したＬＥＤ４を弱点灯させる。一方、ディスク保持部２４にディスクＤ４が保持されていない場合には、ステップＳ１１２に進み、制御部６０は、ディスク検出センサ３９の検出結果に基づいて、このディスク保持部２４に対応したＬＥＤ４を消灯させる。
【００７１】
次に、ステップＳ１１３において、制御部６０は、トレイ検出スイッチ５７の検出結果に基づいて、トレイ１２が引出位置にあることを確認した後に、トレイ１２の収納位置から引出位置へのスライド操作を終了する。
【００７２】
この場合、ユーザは、トレイ１２が引出位置にある状態において、表示部１１のＬＥＤ１が点灯、ＬＥＤ２が弱点灯、ＬＥＤ３が消灯、ＬＥＤ４が消灯又は弱点灯、ＬＥＤ５が弱点灯であることを視認することができる。これにより、ユーザは、装置本体から外部に臨む３つのディスク保持部２４がディスクＤ１，Ｄ５，Ｄ２に対応し、このうち最も手前に位置するディスク収納部２４に対してディスクＤ１の出し入れが可能であることを容易に確認することができる。また、ユーザは、ＬＥＤ４の弱点灯又は消灯によって、ディスク保持部２４に対するディスクＤ４の有無を確認することができる。
【００７３】
ところで、上述したステップＳ１０９，Ｓ１１３におけるトレイ１２が引出位置にあるかの確認動作は、図１０に示すフローチャートに従って実行される。すなわち、先ず、ステップＳ２０１において、ドラム用駆動モータ５６が切換ドラム４５を時計回りに回転駆動すると、ステップＳ２０２において、制御部６０は、トレイ検出スイッチ５７の検出結果に基づいて、トレイ１２が引出位置にあるかの確認を行う。そして、トレイ１２が引出位置にある場合には、ステップＳ２０３に進み、制御部６０は、このトレイ検出スイッチ５７の検出結果に基づいて、ドラム用駆動モータ５６の駆動を停止する。一方、トレイ１２が引出位置にない場合には、ステップＳ２０１に戻り、更にドラム用駆動モータ５６が切換ドラム４５を時計回りに回転駆動する。そして、再びステップＳ２０２に進む。そして、制御部６０は、トレイ１２が引出位置にスライドされるまで、ドラム用駆動モータ５６による切換ドラム４５の回転駆動を繰り返す。以上のようにして、このディスクチェンジャー装置１では、トレイ１２が引出位置にあるかの確認動作が実行される。
【００７４】
次に、トレイ１２が引出位置にある状態において、ターンテーブル１３が回転駆動された際のディスクＤの状態表示は、図１１に示すフローチャートに従って実行される。
【００７５】
なお、図１１に示すディスクチェンジャー装置１では、ディスクＤ１が保持されるディスク保持部２４がディスク交換位置にある。そして、このディスク交換位置にあるディスク保持部２４に対応したＬＥＤ１が点灯状態にあり、手前に位置する残りの左右のディスク保持部２４に対応したＬＥＤ５，２が弱点灯状態にあり、装置本体の内部に位置する２つのディスク保持部に対応したＬＥＤ３，４が消灯状態にある。
【００７６】
この状態から、先ず、ステップＳ３０１において、ユーザが操作ボタン９を操作し、制御部６０に対してターンテーブル１３の回転（スキップ操作）を指令すると、ステップＳ３０２において、制御部６０は、ターンテーブル１３の回転操作を開始する。そして、ステップＳ３０３において、例えばターンテーブル１３が時計回りに回転駆動されて、各ディスク保持部２４の位置が入れ替わると、制御部６０は、装置本体から外部に臨むディスク保持部２４のうち、ディスク交換位置にあるディスク保持部２４に対応したＬＥＤ２を点灯させ、手前に位置する残りの左右のディスク保持部２４に対応したＬＥＤ１，３を弱点灯させる切換制御を行う。また、制御部６０は、ＲＡＭ６３に記録された情報から、装置本体の内部に位置する２つのディスク保持部に対応したＬＥＤ４，５の点灯状態を保持する（この場合、ＬＥＤ４は消灯、ＬＥＤ５は弱点灯）切換制御を行う。また、制御部６０は、装置本体の外部に臨むディスク保持部２４のディスクＤ１，Ｄ２，Ｄ３の有無についての情報をクリアとする。
【００７７】
ここで、ターンテーブル１３を回転操作する際には、先ず、ステップＳ３０４において、制御部６０は、トレイ検出スイッチ５７の検出結果に基づいて、トレイ１２が引出位置にあるかの確認を行う。そして、トレイ１２が引出位置にある場合には、ステップＳ３０５に進む。一方、トレイ１２が引出位置にない場合には、ステップＳ３０６に進み、制御部６０は、トレイ１２が引出位置にスライドされるまで、ドラム用駆動モータ５６による切換ドラム４５の回転駆動を行う。
【００７８】
次に、ステップＳ３０５において、テーブル用駆動モータ５９がターンテーブル１３を時計回りに回転駆動すると、ステップＳ３０７において、制御部６０は、ディスク検出センサ３９の検出結果に基づいて、ディスクＤ２が保持されるディスク保持部２４がディスク交換位置にあるかの確認を行う。ディスクＤ２が保持されるディスク保持部２４がディスク交換位置にある場合には、ステップＳ３０８に進み、制御部６０は、このディスク検出センサ３９の検出結果に基づいて、テーブル用駆動モータ２９を停止する。一方、ディスクＤ２が保持されるディスク保持部２４がディスク交換位置にない場合には、ステップＳ３０５へと戻り、更にテーブル用駆動モータ５９がターンテーブル１３を時計回りに回転駆動する。そして、再びステップＳ３０７に進む。そして、制御部６０は、ディスクＤ２が保持されるディスク保持部２４がディスク交換位置に移送されるまで、テーブル用駆動モータ５９によるターンテーブル１３の回転駆動を繰り返す。
【００７９】
以上のようにして、このディスクチェンジャー装置１では、ディスクＤ２が保持されるディスク保持部２４がディスク交換位置へと移送された状態となる。
【００８０】
次に、この状態から、ステップＳ３０９において、制御部６０は、ディスク検出センサ３９の検出結果に基づいて、このディスク検出センサ３９を通過するディスク保持部２４にディスクＤ５が保持されている否かの確認を行う。そして、ディスク保持部２４にディスクＤ５が保持されている場合には、ステップＳ３１０に進み、制御部６０は、ディスク検出センサ３９の検出結果に基づいて、このディスク保持部２４に対応したＬＥＤ５を弱点灯させた後、ターンテーブル１３の回転（スキップ操作）を終了する。一方、ディスク保持部２４にディスクＤ５が保持されていない場合には、ステップＳ３１１に進み、制御部６０は、ディスク検出センサ３９の検出結果に基づいて、このディスク保持部２４に対応したＬＥＤ５を消灯させた後、ターンテーブル１３の回転（スキップ操作）を終了する。
【００８１】
この場合、ユーザは、トレイ１２が引出位置にある状態において、表示部１１のＬＥＤ１が弱点灯、ＬＥＤ２が点灯、ＬＥＤ３が弱点灯、ＬＥＤ４が消灯、ＬＥＤ５が弱点灯又は消灯であることを視認することができる。これにより、ユーザは、装置本体から外部に臨む３つのディスク保持部２４がディスクＤ１，Ｄ２，Ｄ３に対応し、このうち最も手前に位置するディスク保持部２４に対してディスクＤ２の出し入れが可能であることを容易に確認することができる。また、ユーザは、ＬＥＤ５の弱点灯又は消灯によって、ディスク保持部２４に対するディスクＤ５の有無を確認することができる。
【００８２】
次に、ディスクチェンジャー装置１において、トレイ１２が引出位置から収納位置へと収納される際のディスクＤの状態表示は、図１２乃至図１４に示すフローチャートに従って実行される。
【００８３】
なお、図１２に示すディスクチェンジャー装置１では、ディスクＤ２が保持されるディスク保持部２４がディスク交換位置にある。そして、このディスク交換位置にあるディスク保持部２４に対応したＬＥＤ２が点灯状態にあり、手前に位置する残りの左右のディスク保持部２４に対応したＬＥＤ１，３が弱点灯状態にあり、装置本体の内部に位置する２つのディスク保持部に対応したＬＥＤ４，５が消灯状態にある。
【００８４】
この状態から、先ず、ステップＳ４０１において、ユーザが操作ボタン９を操作し、制御部６０に対してトレイ１２の収納を指示すると、ステップＳ４０２において、制御部６０は、トレイ１２を引出位置から収納位置へとスライドさせるスライド操作と、ディスク交換位置に位置するディスク保持部２４をディスク再生部へと移送するターンテーブル１３の回転操作とを開始する。
【００８５】
ここで、トレイ１２を収納位置から引出位置へとスライド操作する際には、先ず、ステップＳ４０３において、制御部６０は、支持ベース３６が引込位置にあるかの確認を行う。そして、支持ベース３６が引込位置にある場合には、ステップＳ４０４に進み、ドラム用駆動モータ５６が切換ドラム４５を反時計回りに回転駆動する。一方、支持ベース３６が引込位置にない場合には、ステップＳ４０５に進み、制御部６０は、トレイ１２が収納位置にあること確認し、ドラム用駆動モータ５６を停止する。
【００８６】
次に、ステップＳ４０６において、テーブル用駆動モータ２９がターンテーブル１３を反時計回りに回転駆動すると、ステップＳ４０７において、制御部６０は、ディスク検出センサ３９の検出結果に基づいて、ディスクＤ１が保持されるディスク保持部２４がディスク再生部にあるかの確認を行う。そして、ディスクＤ１が保持されるディスク保持部２４がディスク再生部にある場合には、ステップＳ４０８に進む。一方、ディスクＤ１が保持されるディスク保持部２４がディスク再生部にない場合には、ステップＳ４０３へと戻り、制御部６０は、ディスクＤ１が保持されるディスク保持部２４がディスク再生部に移送されるまで、テーブル用駆動モータ５９によるターンテーブル１３の回転駆動を繰り返す。
【００８７】
以上のようにして、このディスクチェンジャー装置１では、ディスクＤ１が保持されるディスク保持部２４がディスク再生部へと移送された状態となる。
【００８８】
次に、この状態から、ステップＳ４０８において、制御部６０は、ディスク検出センサ３９の検出結果に基づいて、このディスク検出センサ３９を通過するディスク保持部２４にディスクＤ１が保持されている否かの確認を行う。そして、ディスク保持部２４にディスクＤ１が保持されている場合には、ステップＳ４０９に進み、制御部６０は、ディスク検出センサ３９の検出結果に基づいて、このディスク保持部２４に対応したＬＥＤ１を点灯させる。一方、ディスク保持部２４にディスクＤ１が保持されていない場合には、ステップＳ４１０に進み、制御部６０は、ディスク検出センサ３９の検出結果に基づいて、このディスク保持部２４に対応したＬＥＤ１を消灯させる。
【００８９】
この場合、ユーザは、トレイ１２が収納位置にある状態において、表示部１１のＬＥＤ１が点灯又は消灯、ＬＥＤ２が弱点灯、ＬＥＤ３が弱点灯、ＬＥＤ４が消灯、ＬＥＤ５が消灯であることを視認することができる。これにより、ユーザは、ＬＥＤ１の点灯又は消灯によって、ディスク保持部２４に対するディスクＤ１の有無を確認することができる。
【００９０】
次に、図１３に示すステップＳ４１１において、制御部６０は、支持ベース３６が引込位置にあるかの確認を行う。そして、支持ベース３６が引込位置にある場合には、ステップＳ４１２に進み、更にドラム用駆動モータ５６が切換ドラム４５を反時計回りに回転駆動する。一方、支持ベース３６が引込位置にない場合には、ステップＳ４１３に進み、制御部６０は、トレイ１２が収納位置にあること確認し、ドラム用駆動モータ５６を停止する。
【００９１】
次に、ステップＳ４１４において、更にテーブル用駆動モータ２９がターンテーブル１３を反時計回りに回転駆動すると、ステップＳ４１５において、制御部６０は、ディスク検出センサ３９の検出結果に基づいて、ディスクＤ２が保持されるディスク保持部２４がディスク再生部にあるかの確認を行う。そして、ディスクＤ２が保持されるディスク保持部２４がディスク再生部にある場合には、ステップＳ４１６に進み、制御部６０は、このディスク検出センサ３９の検出結果に基づいて、テーブル用駆動モータ２９を停止する。一方、ディスクＤ２が保持されるディスク保持部２４がディスク再生部にない場合には、ステップＳ４１１へと戻る。そして、制御部６０は、ディスクＤ２が保持されるディスク保持部２４がディスク再生部に移送されるまで、テーブル用駆動モータ５９によるターンテーブル１３の回転駆動を繰り返す。
【００９２】
以上のようにして、このディスクチェンジャー装置１では、ディスクＤ２が保持されるディスク保持部２４がディスク再生部へと移送された状態となる。
【００９３】
次に、この状態から、ステップＳ４１７において、制御部６０は、ディスク検出センサ３９の検出結果に基づいて、このディスク検出センサ３９を通過するディスク保持部２４にディスクＤ２が保持されている否かの確認を行う。そして、ディスク保持部２４にディスクＤ２が保持されている場合には、ステップＳ４１８に進み、制御部６０は、ディスク検出センサ３９の検出結果に基づいて、このディスク保持部２４に対応したＬＥＤ２を点灯させる。一方、ディスク保持部２４にディスクＤ１が保持されていない場合には、ステップＳ４１９に進み、制御部６０は、ディスク検出センサ３９の検出結果に基づいて、このディスク保持部２４に対応したＬＥＤ２を消灯させる。
【００９４】
また、制御部６０は、上述したディスクＤ１がディスク保持部２４に保持されている場合に、このディスク保持部２４に対応したＬＥＤ１を弱点灯させ、上述したディスクＤ１がディスク保持部２４に保持されていない場合に、このディスク保持部２４に対応したＬＥＤ１を消灯させる。
【００９５】
以上のようにして、このディスクチェンジャー装置１では、ディスク交換位置に位置するディスク保持部２４がディスク再生部へと移送された状態となる。
【００９６】
この場合、ユーザは、トレイ１２が収納位置にある状態において、表示部１１のＬＥＤ１が弱点灯又は消灯、ＬＥＤ２が点灯又は消灯、ＬＥＤ３が弱点灯、ＬＥＤ４が消灯、ＬＥＤ５が消灯であることを視認することができる。これにより、ユーザは、ＬＥＤ２の点灯又は消灯によって、ディスク保持部２４に対するディスクＤ１の有無を確認することができる。
【００９７】
次に、この状態から、図１４に示すステップＳ４２０において、ドラム用駆動モータ５６が切換ドラム４５を反時計回りに回転駆動する。次に、ステップＳ４２１において、制御部６０は、支持ベース３６が再生位置にあるかの確認を行う。そして、支持ベース３６が再生位置にある場合には、ステップＳ４２２に進み、制御部６０は、ドラム用駆動モータ５６を停止した後、トレイ１２の引出位置から収納位置へのスライド操作を終了する。一方、支持ベース３６が収納位置にない場合には、ステップＳ４２０へと戻る。そして、制御部６０は、支持ベース３６が再生位置に上昇するまで、ドラム用駆動モータ５６による切換ドラム４５の回転駆動を繰り返す。以上のようにして、このディスクチェンジャー装置１では、選択されたディスクＤ２が収納されるディスク収納部２４に対して信号の再生が可能な状態となる。
【００９８】
以上のように、このディスクチェンジャー装置１では、複数のディスク保持部２４のうち、何れのディスク保持部２４にディスクＤが保持されているのか、或いはディスク保持部２４に保持されたディスクＤのうち、何れのディスクＤに対して信号の再生が行われるのか、或いは何れのディスク収納部２４が装置本体の外部へと臨んでいるか等のディスクＤの状態を、各ディスク保持部２４に対応したＬＥＤ１〜５の光量の違いによって適切に表示するが可能である。
【００９９】
したがって、このディスクチェンジャー装置１では、各ディスク保持部２４に対応したＬＥＤ１〜５の光量を段階的に切り換えることで、ＬＥＤの数を増やすことなく、色々なディスクＤの状態表示が可能となり、また、デザイン性に優れたディスクの状態表示が可能となる。
【０１００】
なお、上述した一連の動作は、ディスク状態表示プログラムとして、制御部６０のＲＯＭ６２に記憶（格納）されている。また、上述した一連の動作を実行するディスク状態表示プログラムが記録された記録媒体としては、装置本体に内蔵された内部記録媒体や装置本体に対して着脱可能な外部記録媒体に限らず、例えばフロッピィディスクやハードディスク等の磁気ディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔｏ　ｏｐｔｉｃａｌ）ディスク、ＤＶＤ（Ｄｉｇｉｔａｌ　Ｖｅｒｓａｔｉｌｅ　Ｄｉｓｃ）等の光学ディスク、半導体メモリ等を挙げることができ、一時的あるいは永続的に格納（記録）しておくことが可能である。
【０１０１】
なお、本発明は、上述したルーレット型のディスクチェンジャー装置１に限らず、例えばディスクＤを複数枚毎にまとめて多段マガジンケースに収納しておき、この中から任意のディスクＤを選択して再生することができる、いわゆるマガジン型のディスクチェンジャー装置等のディスクＤの状態を表示するのに好適である。すなわち、本発明は、複数のメディア保持部に保持されたメディアのうち、選択されたメディアに対して信号の記録及び／又は再生を行うメディアチェンジャー装置のメディア状態を表示するのに広く適用可能である。また、メディアチェンジャー装置は、メディアをメディア保持部に搬送する搬送手段や、選択されたメディアを記録及び／又は再生手段まで搬送する搬送手段、記録及び／又は再生手段をメディア保持部まで移動させる移動手段等が設けられたものであってもよい。
【０１０２】
また、メディアとしては、上述した再生用のディスクＤに限らず、記録及び／又は再生が可能な光ディスクや光磁気ディスク、磁気ディスク等であってもよく、これらディスクが収納されたディスクカートリッジや、磁気テープが収納されたテープカートリッジ等であってもよい。
【０１０３】
また、メディアの状態を表示するための発光手段としては、上述したＬＥＤが好適であるが、光量を段階的に切り換えることが可能であれば、ランプや液晶素子等を用いることも可能である。
【０１０４】
【発明の効果】
以上詳細に説明したように、本発明によれば、少なくともメディアが保持されていないメディア保持部と、メディアが保持されたメディア保持部と、選択されたメディアが保持されたメディア保持部とを区別するように、各メディア保持部に対応した発光手段の光量を段階的に切り換えることから、複数のメディア保持部のうち、何れのメディア保持部にメディアが保持されているのか、或いはメディア保持部に保持されたメディアのうち、何れのメディアに対して信号の記録及び／又は再生が行われるのか等のメディアの状態を、各メディア保持部に対応した発光手段の光量の違いによって適切に表示することが可能である。したがって、部品点数の増加を招くことなく、複数のメディア保持部に保持されたメディアの状態を適切に表示することが可能であり、また、デザイン性に優れたメディア状態表示が可能である。
【図面の簡単な説明】
【図１】本発明を適用したディスクチェンジャー装置の外観を示す図であり、トレイが収納位置にある状態を示す斜視図である。
【図２】上記ディスクチェンジャー装置の外観を示す図であり、トレイが引出位置にある状態を示す斜視図である。
【図３】上記ディスクチェンジャー装置の装置本体の構成を示す斜視図である。
【図４】上記ディスクチェンジャー装置の装置本体の構成を示す分解斜視図である。
【図５】上記ディスクチェンジャー装置の装置本体の構成を示す平面図である。
【図６】上記ディスクチェンジャー装置の表示部の構成を示す正面図である。
【図７】駆動パルスに応じたＬＥＤの表示状態を示す模式図である。
【図８】上記ディスクチェンジャー装置の制御部の構成を示すブロック図である。
【図９】上記ディスクチェンジャー装置において、トレイが収納位置から引出位置へと引き出される際のディスクＤの状態を表示する動作の一例を示すフローチャートである。
【図１０】上記ディスクチェンジャー装置において、トレイが引出位置にあるかの確認動作を示すフローチャートである。
【図１１】上記ディスクチェンジャー装置において、トレイが引出位置にある状態において、ターンテーブルが回転駆動された際のディスクＤの状態を表示する動作の一例を示すフローチャートである。
【図１２】上記ディスクチェンジャー装置において、トレイが引出位置から収納位置へと収納される際のディスクＤの状態を表示する動作の一例を示すフローチャートである。
【図１３】図１２に示す動作の続きを示すフローチャートである。
【図１４】図１３に示す動作の続きを示すフローチャートである。
【符号の説明】
１　ディスクチェンジャー装置、２　筐体、３　ベース、４　フロントパネル、５　上ケース、６　メカデッキ、７　トレイ出入口、１１　表示部（ＬＥＤ１〜５）、１２　トレイ、１３　ターンテーブル、２４　ディスク保持部、２９　テーブル用駆動モータ、３４　光学ピックアップ、３６　支持ベース、４５　切換ドラム、５６　ドラム用駆動モータ、６０　制御部、６１　ＣＰＵ、６２　ＲＯＭ、６３　ＲＡＭ
【図１】
2004063052.tif 000003
【図２】
2004063052.tif 000004
【図３】
2004063052.tif 000005
【図４】
2004063052.tif 000006
【図５】
2004063052.tif 000007
【図６】
2004063052.tif 000008
【図７】
2004063052.tif 000009
【図８】
2004063052.tif 000010
【図９】
2004063052.tif 000011
【図１０】
2004063052.tif 000012
【図１１】
2004063052.tif 000013
【図１２】
2004063052.tif 000014
【図１３】
2004063052.tif 000015
【図１４】
2004063052.tif 000016